(57)【要約】【課題】記録媒体ごとに多重度が異なっていても、各記録媒体に適切な多重度によってデータを記録する。【解決手段】記録部１１は、ピックアップ１０を通じて、ページデータを記録媒体１に記録する。記録媒体１は、管理情報領域を有している。管理情報領域は、ユーザデータ領域に記録されているページデータの多重度を表す多重度情報を保持している。記録部１１は、管理情報領域から、多重度情報としての記録ページ数情報およびトラック間隔情報を取得する。得られた２つの情報から多重度を算出し、算出した多重度によって、ページデータを記録媒体１に記録する。【選択図】図１
2007305230.tif 000002
【特許請求の範囲】
【請求項１】
データを多重化によって保持する記憶媒体であって、
上記データの多重度を表す多重度情報を保持する管理領域を有していることを特徴とする記録媒体。
【請求項２】
上記データを保持するデータ領域が、互いに多重度の異なる複数のデータをそれぞれ個別に保持する複数の部分領域に分割されており、
上記管理領域が、上記部分領域に保持される上記データごとに、上記多重度情報を個別に保持していることを特徴とする請求項１に記載の記録媒体。
【請求項３】
請求項１または２に記載の記録媒体に、データを多重記録する記録装置であって、
上記管理領域から、上記多重度情報を取得する多重度情報取得手段と、
上記取得された多重度情報の表す多重度によって、上記データを上記記録媒体に多重記録する記録手段とを備えていることを特徴とする記録装置。
【請求項４】
請求項１または２に記載の記録媒体に、データを多重記録する記録方法であって、
上記管理領域から、上記多重度情報を取得する多重度情報取得ステップと、
上記取得された多重度情報の表す多重度によって、上記データを上記記録媒体に多重記録する記録ステップとを含んでいることを特徴とする記録方法。
【請求項５】
請求項１または２に記載の記録媒体に、データを多重記録する記録装置であって、
上記記録媒体における第１の記録領域に、第１のデータが第１の多重度によってあらかじめ記録されているとき、
上記管理領域から、上記第１の多重度を表す第１の多重度情報を取得する多重度情報取得手段と、
上記第１の多重度と、上記記録媒体に新たに記録するデータに適用する第２の多重度とが、互いに異なるか否かを判定する判定手段と、
上記判定手段によって、上記第１の多重度と上記第２の多重度とが互いに異なると判定されたとき、上記記録媒体において、上記第１の記憶領域とは異なる第２の領域に、上記第２のデータを上記第２の多重度によって記録する記録手段とを備えていることを特徴とする記録装置。
【請求項６】
上記記録媒体において記録可能な最大密度についての情報に基づき、上記第２の領域における、上記第２のデータの記録の開始可能位置を特定する位置特定手段をさらに備えていることを特徴とする記録装置。
【請求項７】
請求項１または２に記載の記録媒体に、データを多重記録する記録方法であって、
上記記録媒体における第１の記録領域に、第１のデータが第１の多重度によってあらかじめ記録されているとき、
上記管理領域から、第１の多重度を表す第１の多重度情報を取得する多重度情報取得ステップと、
上記第１の多重度と、上記記録媒体に新たに記録するデータに適用する第２の多重度とが、互いに異なるか否かを判定する判定ステップと、
上記判定手段によって、上記第１の多重度と上記第２の多重度とが互いに異なると判定されたとき、上記記録媒体において、上記第１の記憶領域とは異なる第２の領域に、上記第２のデータを上記第２の多重度によって記録するデータ記録ステップとを含んでいることを特徴とする記録方法。
【請求項８】
請求項１または２に記載の記録媒体からデータを再生する再生装置であって、
上記管理領域から、上記多重度情報を取得する多重度情報取得手段と、
上記取得された多重度情報の表す多重度によって、上記データを上記記録媒体から再生する再生手段とを備えていることを特徴とする再生装置。
【請求項９】
請求項１または２に記載の記録媒体からデータを再生する再生方法であって、
上記管理領域から、上記多重度情報を取得する多重度情報取得ステップと、
上記取得された多重度情報の表す多重度によって、上記データを上記記録媒体から再生する再生ステップとを含んでいることを特徴とする再生方法。
【請求項１０】
請求項３、５、および６のいずれか１項に記載の記録装置を動作させるプログラムであって、コンピュータを上記の各手段として機能させるためのプログラム。
【請求項１１】
請求項８に記載の再生装置を動作させるプログラムであって、コンピュータを上記の各手段として機能させるためのプログラム。
【請求項１２】
請求項１０または１１に記載のプログラムを記録しているコンピュータ読み取り可能な記録媒体。
【発明の詳細な説明】
【技術分野】
【０００１】
本発明は、データを多重記録する記録媒体、記録装置、記録方法、再生装置、再生方法、プログラム、コンピュータ読み取り可能な記録媒体に関する。
【背景技術】
【０００２】
近年、画像情報や音声情報などの各種の情報が、急速にデジタル化されている。すなわちデジタル情報の量が飛躍的に増大している。これに伴い、大容量化かつ高密度化に適した記憶装置の開発が進められている。
【０００３】
高密度化を達成できる記憶媒体の１つに、ホログラム記録媒体がある。ホログラム記録媒体では、情報を所定の体積に多重記録する。これにより記録密度を向上できる。ホログラム記録媒体を用いた記録方式および媒体の一例が、非特許文献１に開示されている。
【０００４】
従来の記録再生装置による記録方式について、図１６を参照して以下に説明する。図１６は、従来の記録再生装置によって情報が記録された記録媒体１６０を示す模式図である。
【０００５】
記録媒体１６０は、情報を記録再生するホログラム記録媒体である。図１６に示すように、記録媒体１６０はの形状はディスク状である。記録媒体１６０に記録されるトラックの形状は、図１６の点線に示すように、同心円状またはスパイラル状である。
【０００６】
ホログラム記録媒体へのデータの記録や再生は、２次元データであるページデータ単位で行われる。データを記録するとき、ＳＬＭ素子（Ｓｐａｔｉａｌ  Ｌｉｇｈｔ  Ｍｏｄｕｌａｔｏｒ：  空間光変調器）を用いて、２次元のページデータを生成する。一方、データを再生するときには、ＣＣＤ（Ｃｈａｒｇｅ  Ｃｏｕｐｌｅｄ  Ｄｅｖｉｃｅ）撮像素子またはＣＭＯＳ（ｃｏｍｐｌｅｍｅｎｔａｒｙ  ＭＯＳ）撮像素子を用いる。
【０００７】
図１６において、１つのページデータを網掛けの円として示す。上述したように、記録媒体１６０はホログラム記録媒体なので、情報を多重記録できる。図１６におけるページデータの重なりは、情報が多重記録されている様子を示している。
【０００８】
記憶媒体においては、記録するページの重なりの程度によって、情報の多重度が変化する。ここでいう重なりの度合いとは、ページ間のシフト量Ｌのことである。
【０００９】
再生信号の品質は、記録情報の多重度に応じて変化する。そこで従来、求められる信号品質を確実に得ることのできるように、シフト量Ｌは各記録媒体においてあらかじめ定められている。
【非特許文献１】「離陸間近のホログラフィック媒体  ２００６年に２００Ｇバイトを実現」、日経エレクトロニクス、２００５年１月１７日号、日経ＢＰ社出版、２００５年１月１７日、ｐｐ．１０５−１１４
【発明の開示】
【発明が解決しようとする課題】
【００１０】
しかし、記憶媒体に記録する情報に内容に応じて、求められる再生信号品質は異なってくる。たとえばビデオデータなら、ある場面に対応するデータに多少のエラーがあったとしても、すぐに次の場面が画面上に写し出される。したがって、軽微なデータエラーが大きな問題になることがはない。
【００１１】
一方、プログラムデータでは事情が異なる。データに１ビットでも誤りがあれば、プログラムは正常に動作しなくなる。したがって求められる再生信号品質は、ビデオデータに比べると高くなる。
【００１２】
また、プログラムデータでは、記録情報を管理するための管理情報の交替処理が一般的に行われている。しかし、ホログラム記録媒体に記録された情報を管理するための管理情報については、このような交換処理は行われていない。したがって、より高い再生信号品質が求められる。
【００１３】
このように、記録する情報の種類に応じて、求められる再生信号品質は異なる。しかし従来、１つの記憶媒体に、異なる多重度の情報を共存させることはできない。
【００１４】
また、記憶媒体の特性の違いにより、採用可能な多重度は異なる。しかし従来、多重度の異なる記憶媒体に対して適切な多重度を設定する仕組みは、明確にされていない。
【００１５】
本発明は上記の課題を解決するためになされたものであり、その目的は、記録媒体ごとに多重度が異なっていても、各記録媒体に正しい多重度によってデータを記録できる記録媒体、記録装置、記録方法、再生装置、再生方法、プログラム、およびコンピュータ読み取り可能な記録媒体を提供することにある。
【課題を解決するための手段】
【００１６】
本発明に係る記憶媒体は、上記の課題を解決するために、
データを多重化によって保持する記憶媒体であって、
上記データの多重度を表す多重度情報を保持する管理領域を有していることを特徴としている。
【００１７】
上記の構成によれば、記憶媒体は、データを多重化によって保持する。たとえば、２次元のページデータを所定の体積に記録保持するホログラム記録媒体として実現される。記録媒体は、データを保持するデータ領域とは別に、保持データの多重度を表す情報（多重度情報）を保持する管理領域を有している。
【００１８】
したがって、記録媒体にデータを多重記録する記録装置は、データの記録前において、管理領域の多重度情報を参照して、適用すべき多重度を特定できる。これにより、記録媒体ごとに多重度が異なっていても、各記録媒体に正しい多重度によってデータを記録できる効果を奏する。
【００１９】
本発明に係る記録媒体では、さらに、
上記データを保持するデータ領域が、互いに多重度の異なる複数のデータをそれぞれ個別に保持する複数の部分領域に分割されており、
上記管理領域が、上記部分領域に保持される上記データごとに、上記多重度情報を個別に保持していることを特徴としている。
【００２０】
上記の構成によれば、記録媒体において、データを保持するデータ領域が複数の部分領域に分割されている。これらの部分領域は、互いに多重度の異なる複数のデータを、それぞれ個別に保持する。たとえば、第１の部分領域は、第１の多重度によって第１のデータを保持し、第２の部分領域は、第１の多重度とは異なる第２の多重度によって第２のデータを保持している。
【００２１】
このとき管理領域は、部分領域に保持されるデータごとに、多重度情報を個別に保持している。たとえば、第１の多重度を表す情報と、第２の多重度を表す情報とを保持している。したがって、記録媒体からデータを再生する再生装置は、第１の部分領域から第１のデータを再生するときには、第１の多重度を表す情報を管理領域から取得し、当該取得した多重度によって、第１のデータを再生すればよい。第２のデータを再生するときには、第２の多重度を表す多重度情報を用いればよい。
【００２２】
このように記録媒体は、同一の記憶媒体において、互いに種類の異なる複数のデータを、それぞれ互いに異なる多重度によって同時に保持できる効果を奏する。
【００２３】
本発明に係る記録装置は、上記の課題を解決するために、
上述した本発明に係る記録媒体に、データを多重記録する記録装置であって、
上記管理領域から、上記多重度情報を取得する多重度情報取得手段と、
上記取得された多重度情報の表す多重度によって、上記データを上記記録媒体に多重記録する記録手段とを備えていることを特徴としている。
【００２４】
上記の構成によれば、記録媒体には、データがある多重度によって、あらかじめ記録されている。この記録媒体に、記録装置は、別のデータの追加記録を試みる。このとき記録装置において、多重度情報取得手段が、記録媒体の管理領域から、記録済みデータについての多重度情報を取得する。記録手段は、取得された多重度情報の表す多重度によって、追加記録するデータを、記録媒体に多重記録する。すなわち追加データを、記録済みデータと同一の多重度によって記録する。
【００２５】
これにより記録装置は、追加データを、記録媒体に記録済みデータの多重度とは異なる多重度によって、誤って記録してしまうことがない。すなわち、それぞれが異なる多重度によってデータを保持している記録媒体に対して、いずれも、適切な多重度によって他のデータを追加記録できる効果を奏する。したがって、保持データの多重度が異なる複数の記録媒体が存在しても、データの追加記録に問題が生じない。
【００２６】
本発明に係る記録方法は、上記の課題を解決するために、
上述した本発明に係る記録媒体に、データを多重記録する記録方法であって、
上記管理領域から、上記多重度情報を取得する多重度情報取得ステップと、
上記取得された多重度情報の表す多重度によって、上記データを上記記録媒体に多重記録する記録ステップとを含んでいることを特徴としている。
【００２７】
上記の構成によれば、上述した記録装置と同様の作用、効果を奏する。
【００２８】
本発明に係る記録装置は、上記の課題を解決するために、
上述した本発明に係る記録媒体に、データを多重記録する記録装置であって、
上記記録媒体における第１の記録領域に、第１のデータが第１の多重度によってあらかじめ記録されているとき、
上記管理領域から、第１の多重度を表す第１の多重度情報を取得する多重度情報取得手段と、
上記第１の多重度と、上記記録媒体に新たに記録するデータを記録するための第２の多重度とが、互いに異なるか否かを判定する判定手段と、
上記判定手段によって、上記第１の多重度と上記第２の多重度とが互いに異なると判定されたとき、上記記録媒体において、上記第１の記憶領域とは異なる第２の領域に、上記第２のデータを上記第２の多重度によって記録する記録手段とを備えていることを特徴としている。
【００２９】
上記の構成によれば、記録媒体には、第１のデータが第１の多重度によって、あらかじめ記録されている。この記録媒体に、記録装置は、第２のデータの追加記録を試みる。このとき記録装置において、多重度情報取得手段が、記録媒体の管理領域から第１の多重度情報を取得する。判定手段は、取得された第１の多重度情報の表す第１多重度と、記録される予定の第２のデータに適用すべき第２の多重度とを比較し、互いに異なるか否かを判定する。
【００３０】
ここで、判定手段によって、第１の多重度と、第２の多重度とが互いに異なると判定されたとき、記録手段は、記録媒体において、第１の記憶領域とは異なる第２の領域に、第２のデータを第２の多重度によって記録する。
【００３１】
以上のように記録装置は、異なる多重度によってそれぞれ記録すべき互いに異なるデータを、誤って同一の領域に記録することを防止できる。これにより、同一の記録媒体において、異なる記録感間隔によって、異なるデータをそれぞれ用意に記録できる効果を奏する。
【００３２】
本発明に係る記録方法は、上記の課題を解決するために、
上述した本発明に係る記録媒体に、データを多重記録する記録方法であって、
上記記録媒体における第１の記録領域に、第１のデータが第１の多重度によってあらかじめ記録されているとき、
上記管理領域から、第１の多重度を表す第１の多重度情報を取得する多重度情報取得ステップと、
上記第１の多重度と、上記記録媒体に新たに記録するデータを記録するための第２の多重度とが、互いに異なるか否かを判定する判定ステップと、
上記判定手段によって、異なると判定されたとき、上記記録媒体において、上記第１の記憶領域とは異なる第２の領域に、上記第２のデータを上記第２の多重度によって記録するデータ記録ステップとを備えていることを特徴としている。
【００３３】
上記の構成によれば、本発明に係る記録装置と同様の作用、効果を奏する。
【００３４】
また、本発明に係る記録装置は、上記記録媒体において記録可能な最大密度についての情報に基づき、上記第２の領域における、上記第２のデータの記録の開始可能位置を特定する位置特定手段をさらに備えていることを特徴としている。
【００３５】
上記の構成によれば、位置特定手段は、記録媒体において記録可能な最大密度についての情報に基づき、第２の領域における、第２のデータの記録の開始可能位置を特定する。たとえば、ページデータの最大記録ページ数、および、最小トラック間隔を表す情報を用いて、記録開始可能位置すなわちデータの論理スタートアドレスを算出する。
【００３６】
これにより、データの記録開始可能位置を、記録装置の外部に接続されている装置が認識できる。したがって、正しい記録開始位置からデータの記録を開始するように記録装置に指示できる効果を奏する。
【００３７】
本発明に係る再生装置は、上記の課題を解決するために、
上述した本発明に係る記録媒体からデータを再生する再生装置であって、
上記管理領域から、上記多重度情報を取得する多重度情報取得手段と、
上記取得された多重度情報の表す多重度によって、上記データを上記記録媒体から再生する再生手段とを備えていることを特徴としている。
【００３８】
上記の構成によれば、記録媒体には、データがある多重度によって、あらかじめ記録されている。この記録媒体から、再生装置はデータを再生する。このとき再生装置において、多重度情報取得手段が、記録媒体の管理領域から、記録済みデータについての多重度情報を取得する。再生手段は、取得された多重度情報の表す多重度によって、データを再生する。
【００３９】
これにより再生装置は、記録媒体に記録されているデータを正確に再生できる効果を奏する。また、記録データの多重度が互いに異なる複数の記録媒体からも、それぞれ問題なくデータを再生できる。
【００４０】
本発明に係る再生方法は、上記の課題を解決するために、
上述した本発明に係る記録媒体からデータを再生する再生方法であって、
上記管理領域から、上記多重度情報を取得する多重度情報取得ステップと、
上記取得された多重度情報の表す多重度によって、上記データを上記記録媒体から再生する再生ステップとを含んでいることを特徴としている。
【００４１】
上記の構成によれば、本発明に係る再生装置と同様の作用、効果を奏する。
【００４２】
なお、上記記録装置は、コンピュータによって実現してもよい。この場合、コンピュータを上記各手段として動作させることにより上記記録装置をコンピュータにおいて実現するプログラム、およびそのプログラムを記録したコンピュータ読み取り可能な記録媒体も、本発明の範疇に入る。
【００４３】
なお、上記再生装置は、コンピュータによって実現してもよい。この場合、コンピュータを上記各手段として動作させることにより上記再生装置をコンピュータにおいて実現するプログラム、およびそのプログラムを記録したコンピュータ読み取り可能な記録媒体も、本発明の範疇に入る。
【発明の効果】
【００４４】
以上のように、本発明に係る記録媒体は、データの多重度を表す多重度情報を保持する管理領域を有しているため、記録媒体ごとに多重度が異なっていても、各記録媒体に正しい多重度によってデータを記録できる効果を奏する。
【発明を実施するための最良の形態】
【００４５】
〔実施形態１〕
本発明に係る一実施形態について、図１から図１６を参照して以下に説明する。
【００４６】
（記録再生システム）
まず、本実施形態に係る記録再生システムについて、図１を参照にして以下に説明する。図１は、本発明の一実施形態に係る記録再生システムの要部構成を示すブロック図である。この図に示すように、記録再生システムは、記録媒体１、記録再生装置２（記録装置、再生装置）、およびホスト装置３によって構成されている。
【００４７】
記録媒体１は、情報を記録する媒体である。記録再生装置２は、この記録媒体１に情報を記録したり、あるいは記録媒体１から入力を再生したりする。
【００４８】
本実施形態の記録媒体１は、ディスク状の媒体である。具体的には、情報を２次元のページデータとして記録したり再生したりすることのできる、いわゆるホログラム記録媒体である。記録再生装置２は、図１に示すように、ピックアップ１０、記録部（記録手段、多重度情報取得手段、判定手段、位置特定手段）１１、再生部１２（再生手段、多重度情報取得手段）、インタフェース部１３、アドレス検出部１４、クロック生成部１５、およびコントローラ１６を備えている。ホスト装置３は、記録再生装置に接続されている。ホスト装置３は、ページデータの記録再生指示を、記録再生装置２に与える。
【００４９】
（ピックアップ１０）
ピックアップ１０は、記録媒体１に情報を記録したり、記録媒体１に記録されている情報を再生したりする。データについても同様である。ピックアップ１０は、図示しないレーザ光源および２次元変調素子を備えている。２次元変調素子は、たとえば、液晶素子またはミラーアレイ素子などＳＬＭ（Ｓｐａｔｉａｌ  Ｌｉｇｈｔ  Ｍｏｄｕｌａｔｏｒ）である。
【００５０】
情報を記録するとき、ピックアップ１０は、記録媒体１の記録層に強い光すなわちレーザ光を照射する。具体的にはレーザ光源を用いて、レーザを記録媒体１にパルス発光する。このとき、光源から発射されたレーザ光を２次元変調素子に通すことによって、レーザ光から２次元の像を形成する。こうして形成した２次元の像を、光学系を通じて記録層に照射する。これにより記録層の材料（体積記録素材）を変化させて干渉縞を作り出す。結果的に、ピックアップ１０は、ページデータを干渉縞として記録媒体１の記録層に記録する。
【００５１】
ピックアップ１０は、さらに、ＣＣＤ（Ｃｈａｒｇｅ  Ｃｏｕｐｌｅｄ  Ｄｅｖｉｃｅ）素子またはＣＭＯＳ（ｃｏｍｐｌｅｍｅｎｔａｒｙ  ＭＯＳ）素子などの撮像素子を備えている。これらの撮像素子を用いることによって、２次元のページデータとしての再生信号を記録媒体１から取得する。
【００５２】
ピックアップ１０は、記録媒体１から情報を再生するとき、レーザを記録媒体１にパルス発光する。この点は、情報を記録媒体１に記録するときと同様である。ただし、情報の再生時には、記録媒体１に照射するレーザのエネルギーを、情報の記録時よりも低くする。これにより、記録媒体１に情報を再記録してしまうことを防止できる。
【００５３】
ピックアップ１０は、再生したページデータ以外に、アドレス読み出しやクロック生成のためのアドレス信号も、再生部１２に出力する。
【００５４】
（記録部１１）
記録部１１は、ピックアップ１０を用いて情報を記録媒体１に記録する。具体的には、記録媒体１に記録するページデータをピックアップ１０に出力する。このとき記録するページデータには、事前に誤り訂正符号を付加しておく。ページデータを出力するとともに、記録部１１は、情報記録のためにピックアップ１０が用いるレーザのパルス発光のタイミングを表す信号も、ピックアップ１０に出力する。
【００５５】
（再生部１２）
再生部１２は、ピックアップ１０を用いて情報を記録媒体１から再生する。再生部１２は、情報の再生に用いるレーザのパルス発光のタイミングを表す信号を、ピックアップ１０に出力する。また、ピックアップ１０から入力されるページデータを復号する。これにより、復号後のデータを、インタフェース部１３を通じてホスト装置３に出力する。
【００５６】
上述したように、再生部１２には、ピックアップ１０からアドレス信号が入力される。再生部１２は、入力されたアドレス信号をアドレス検出部１４に出力する。
【００５７】
（インタフェース部１３）
インタフェース部１３は、記録媒体１に記録されるページデータを、記録部１１に供給する。また、ホスト装置３との間において、各種信号を送受信する。インタフェース部１３は、ホスト装置３から送信される、記録再生装置１に対する指示信号を受信し、当該受信した指示信号をコントローラ１６に出力する。
【００５８】
（アドレス検出部１４）
アドレス検出部１４は、クロック生成のためのタイミング信号を生成する。このタイミング信号を、クロック生成部１５に出力する。
【００５９】
アドレス検出部１４は、記録再生中のアドレス信号から、クラスタおよびアドレスを検出する。これによりアドレスを復号する。クラスタとは、アドレスが付与する記録ブロックのことである。アドレスをコントローラ１６に出力する。
【００６０】
（クロック生成部１５）
クロック生成部１５は、各種の回路動作に必要な基準信号であるクロック信号を生成する。生成したクロック信号を、記録部１１および再生部１２に出力する。レーザをパルス発光させるタイミングをタイミング表す信号を生成する。生成したタイミング表す信号も、記録部１１および再生部１２に出力する。
【００６１】
（コントローラ１６）
コントローラ１６には、ホスト装置３からの指示信号が入力される。コントローラ１６は、入力された指示信号を、アクセス制御を初めとする各種の制御に用いる。また、コントローラ１６は、その他の各種の情報を、インタフェース部１３を通じてホスト装置９に出力する。
【００６２】
（記録媒体１の物率的構成）
つぎに、記録媒体１の物理的および論理的構成について、図２（ａ）および図２（ｂ）を参照して説明する。
【００６３】
図２（ａ）は、記録媒体１の断面を示す断面図である。この図に示すように、記録媒体１は、２つの層すなわちサーボ層２０および記録再生層２１によって構成されている。
【００６４】
サーボ層２０には、グルーブまたはピットによってトラックが形成されている。記録媒体１において、のアドレス情報は、それらのグルーブまたはピットとして、サーボ層２０に記録されている。
【００６５】
記録再生層２１は、ページデータを記録再生する層であり、フォトポリマー材料などによって構成されている。
【００６６】
図２（ｂ）は、記録媒体１を記録面側から見た俯瞰図である。この図に示すように、サーボ層２０において、トラックは蛇行したグルーブすなわちウォブルとして、形成されている。図２（ｂ）において、各ページデータは、それぞれ１つの円として示されている。すなわち記録再生装置２は、ページデータを記録媒体１に互いに重ね合わせて記録する。これによりページデータを多重記録し、かつ、ページデータの記録密度を向上させている。
【００６７】
図２（ｂ）に示すように、記録再生装置２は、ページデータをトラック方向に距離Ｌだけずらして記録する。また、半径方向には、トラックｉとトラックｉ＋２およびに記録している。言い換えると、２トラックおきに、すなわち２トラック間隔をおいて、ページデータを記録している。
【００６８】
なお、記録再生装置２が実行できる多重記録の他の例としては、角度多重がある。角度多重とは、同一箇所に照射角度を変えながら光ビームを照射し、情報を多重記録する方法のことである。
【００６９】
ある角度の光照射によって記録されたページデータは、その角度の光照射によってのみ、再生できる。したがって、照射角度を変えながら同一箇所に情報を１０回記録すると、情報を１０回重ねた状態で多重記録できる。再生時にも同様に、記録した時と同一の角度となるようにして、１０回、光を照射する。これにより、記録されたページデータを再生する。
【００７０】
サーボ層２０に記録されているアドレス情報と、記録再生層２１に記録されているページデータとの関係について、図３（ａ）および図を参照して以下に説明する。
【００７１】
（アドレス情報の構造）
図３（ａ）は、アドレス情報の構成を示す図である。Ｎ本（Ｎは１以上の正の整数）のトラックが、トラック番号１からＮをそれぞれ割り振られた状態で、アドレス情報を構成している。各トラックを、それぞれ、１２０個のクラスタに分割する。各クラスタには、クラスタ番号１から１２０をそれぞれ割り振る。各クラスタは、アドレスを付与する最小単位となる。各クラスタは、トラック番号およびクラスタ番号からなるアドレス情報、および補助情報を記録している。補助情報は、記録再生装置１の動作を制御するために用いられる付加的な情報である。
【００７２】
（ページデータの構造）
図３（ｂ）は、記録再生層２１に記録されているページデータの構成を示す図である。各トラックは、１２，０００個のページデータによって構成されている。各ページデータには、ページ番号１から１２，０００をそれぞれ割り振る。したがって各クラスタは、いずれも１００ページのページデータを記録している。
【００７３】
１ページは、最小の記録単位である。１ページの記憶容量は、たとえば１ＭＢである。ピックアップ１０は、ページデータの記録および再生を、１ページ単位で実行する。このとき、従来装置との整合性を取るために、１ページを、たとえば２，０４８ビットのセクタに細分化する。これにより、セクタ単位で外部へデータを入出力できる。この場合、セクタはあくまでも、仮想的な単位である。すなわち記録再生装置２は、１ページ単位で記録したり再生したりするデータの一部のみを選択して外部装置に入出力することにより、セクタ単位でのデータ入出力を実現する。
【００７４】
ページ番号そのものは、アドレス情報としては得られない。そこで、記録再生装置２は、特定のページにアクセスするとき、まず、ページ番号からクラスタ番号を求める。たとえば、１２５ページにアクセスしたとする。１２５ページは、２番目のクラスタの２５番目のページに相当する。そこで、クラスタ番号２が割り振られているクラスタにアクセスする。クラスタ番号は、アドレス情報として取得できる。この時点では、アドレス情報を参照して、クラスタにアクセスする。
【００７５】
つぎに、クラスタ番号２が割り振られているクラスタの先頭から、２５番目のページ位置を検出する。これにより、再生部１２は、そのページ位置に記憶されているページデータを再生する。このページ位置を特定する信号は、再生部１２が生成する。
【００７６】
ピックアップ１０は、ページデータを読み出したいページ位置に対し、再生用のレーザをパルス照射する。これによりページデータを再生する。
`  従来の記録再生装置では、記録媒体の高密度化が進むと、容量の比較的小さい単位でアドレスを付与することは困難である。一方、本実施形態の記録再生装置２は、クラスタアドレスを細分化する。そして、ハードウェア的に生成するタイミング信号を基にして、細分化した各部分にアクセスする。これにより、アドレス情報の記録に特に工夫を加えることなく、容易な構成によって、細分化された領域にアクセスできる。
【００７７】
たとえば２９０トラックの１，３９９ページは、「００２９０  ０１３９９」に相当する。前半５桁はトラック番号であり、後半５桁をページ番号である。
【００７８】
以上のように、本実施形態において、１クラスタ当たりのページ数、すなわちページ密度は、１００（ページ／クラスタ）である。しかし記録再生装置２は、この値を変えることによって、ページデータ記録の多重度を変えることができる。たとえば、１クラスタ当たり１５０ページの密度なら、より高い多重度でページデータを記録媒体１に記録することになる。
【００７９】
また、同様に半径方向の記録間隔、すなわちトラック間隔を変えることによっても、記録されるページデータの多重度を変更できるたとえば、５トラックおきにピックアップ１０を記録したなら、トラック間隔は５トラックとなる。これを３トラックにすると、５トラックの場合によりも多重度を上げることができる。
【００８０】
（各種情報の配置）
つぎに、記録媒体１に形成されている、各種情報を格納するための領域について、特にその配置について、図４を参照して説明する。図４は、記録媒体１に形成されている、各種情報を格納するための領域の配置を示す図である。
【００８１】
図４において、上側が記録媒体１の内周に相当し、下側が外周に相当している。すなわち記録再生装置２において、内周側から、ディスク管理情報領域４１（管理領域）、交替領域４２、ユーザデータ領域４３、交替領域４２、ディスク管理情報領域４１の順に、各領域が配置されている。
【００８２】
記録部１１は、ディスク管理情報領域４１に、ディスク情報４４、ゾーン情報４５、およびディフェクト情報４６を記録する。
【００８３】
記録部１１は、ディスク情報４４として、記録再生条件を表す情報、最大記録密度を表す情報、記録媒体１の回転数を表す情報、記録再生装置２に記録されるプログラムなどのバージョンを表す情報などの、記録媒体１のついての属性を表す各種の属性情報を記録する。
【００８４】
また、ゾーン情報４５として、複数のトラックを１つにまとめたゾーンに関する情報を記録する。ディフェクト情報４６として、交替領域４２に交替処理された各ディフェクトページデータの交替元アドレスおよび交替先アドレスなどの情報を記録する。
【００８５】
記録部１１は、ユーザデータ領域４３に記録したあと、誤り訂正不能と判定したディフェクトページのデータを、交替領域４２にいったん交替して記録する。交替領域４２の大きさは、必要に応じて、また、用途によって異なる。したがって記録再生装置２は、交替領域４２の大きさを任意に変更できる。本実施形態においては、交替領域４２の大きさを、クラスタ単位ではなくトラック単位で変更できる。したがって、ユーザデータ領域４３の先頭クラスタ番号は、常に１から始まる。
【００８６】
記録部１１は、ページデータをユーザデータ領域４３記録する。上述したように、交替領域４２の大きさは一定ではない。したがって、ユーザデータ領域４３の開始物理アドレスも一定ではない。交替領域４２の大きさによって、アクセスする先のアドレスが変わってしまうのは、不便である。そこで記録部１１は、ユーザデータ領域４３の開始アドレスのトラック番号を常に１とするように、アドレスを変換する。
【００８７】
変換後のアドレスを、論理アドレスと呼ぶ。物理アドレスから論理アドレスへの変換には、Ａ−Ｓ＋１という演算を実行すればよい。ここでＳは、ユーザデータ領域４３の開始物理アドレスのトラック番号である。Ａは、変換したい物理アドレスのトラック番号である。
【００８８】
ユーザデータ領域４３の先頭クラスタ番号は、常に１である。先頭ページアドレスも、常に１である。したがって記録再生装置２は、論理アドレスを、トラック番号とページ番号の組み合わせではなく、ユーザデータ領域４３の先頭から始まる、連続したページ番号として扱う。たとえば、１トラックが１２，０００ページならば、２番目のトラックの１ページ目の論理アドレスページ番号１２，００１となる。
【００８９】
物理アドレスはすべてのトラック、およびクラスタに与えられる。記録部１１は、論理アドレスを、データが記録する物理アドレスに対してのみ割り当てる。たとえば２トラック間隔でページデータを記録するなら、ページデータを１番目のトラックには記録する一方、２番目のトラックには記録しない。したがって、論理アドレスがページ番号１２，００１の物理アドレスは、トラック番号２のページ番号１のページではなく、トラック番号３のページ番号１のページに相当する。
【００９０】
以上のように、記録再生装置２に接続されているホスト装置３が、論理アドレスに基づき、ページデータに記録されているページデータにアクセスすれば、常にページ番号１から始まるアドレスによりアクセスできる。したがってホスト装置は、データの入出力処理を容易に実行できる。
【００９１】
（ゾーン情報４５）
つぎに、ディスク管理情報領域４１に記録されるゾーン情報４５について、図５（ａ）、図５（ｂ）、および図５（ｃ）を参照してさらに詳しく説明する。図５（ａ）は、ゾーン情報を構成する各種情報を示す図である。図５（ｂ）は、ゾーン情報ヘッダを構成する各種情報を表す図である。図５（ｃ）は、ゾーン情報エントリを構成する各種の情報を表す図である。
【００９２】
図５（ａ）に示すように、ゾーン情報４５は、大きく分けて３つの部分情報によって構成されている。すなわち、ゾーン情報ヘッダＺＩ＿Ｈｅａｄｅｒ、ゾーン情報エントリリストＺＩ＿Ｌｉｓｔ、およびゾーン情報４５の終わりを示すゾーン情報終端マークＺＩ＿Ｔｅｒｍによって構成されている。
【００９３】
これらの部分情報について、以下に詳しく説明する。図５（ｂ）に示すように、ゾーン情報４５ヘッダＺＩ＿Ｈｅａｄｅｒは、ゾーン情報識別子ＺＩ＿ＩＤおよび登録ゾーン数Ｎ＿Ｚｏｎｅからなっている。ゾーン情報識別子ＺＩ＿ＩＤは、ゾーン情報４５の先頭を示すための識別子であり、たとえば“ＺＩ”である。登録ゾーン数Ｎ＿Ｚｏｎｅは、記録媒体１に登録されているゾーンの数を示しており、初期値は１で、登録するゾーンが１つ増えるごとに増加していく。
【００９４】
図５（ｃ）に示すように、ゾーン情報エントリは、１つのゾーンに関する各種情報によって構成されている。記録部１１は、複数のゾーンが記録媒体１に登録されているなら、複数のゾーン情報エントリを、１つの連続したリストとして記録する。このリストが、図５（ａ）に示すゾーン情報エントリリストＺＩ＿Ｌｉｓｔである。
【００９５】
記録部１１は、各ゾーン情報エントリに、ゾーンの開始物理アドレスを表す物理スタートアドレスＳＴ＿ＡＤＲ、最終記録位置ＬＲＡ、記録ページ数Ｎ＿Ｐａｇｅ、およびトラック間隔ＴＲＫ＿Ｉｎｔを記録する。最終記録位置ＬＲＡは、記録されたページデータの最終物理アドレスである。記録ページ数Ｎ＿Ｐａｇｅは、クラスタ当たりの記録ページデータ数を示す。トラック間隔ＴＲＫ＿Ｉｎｔは、ページデータを記録するトラック間隔である。
【００９６】
記録再生装置２は、ゾーンをトラック単位で指定する。物理スタートアドレスＳＴ＿ＡＤＲのページ番号は、常に１である。複数のゾーン情報エントリが存在するなら、記録部１１は、すべてのゾーン情報エントリを、常に物理スタートアドレスＳＴ＿ＡＤＲの昇順に整列するように記録する。こうして、ページデータの記録再生時において、記録再生する対象となる物理アドレスと各ゾーン情報エントリの物理スタートアドレスＳＴ＿ＡＤＲとを、順番にまたは２分法等を用いて比較する。これにより、記録再生する物理アドレスが属するゾーンのゾーン情報エントリを、迅速に検索できる。
【００９７】
記録部１１は、昇順に整列したゾーン情報エントリについて、物理スタートアドレスＳＴ＿ＡＤＲの小さい順にゾーン番号を割り当てる。よって、ゾーン番号は１からＮ＿Ｚｏｎｅの値を取る。ゾーン番号は仮想的なものであり、記録媒体１には情報として記録されない。
【００９８】
記録部１１は、ゾーン情報エントリに、物理スタートアドレスＳＴ＿ＡＤＲのみを記録し、ゾーンの最終アドレスは記録しない。なぜなら、各ゾーンの最終アドレスは、次のゾーンの物理スタートアドレスの１ページ前までであるため、物理スタートアドレスから容易に計算できるからである。
【００９９】
なお、最終のゾーンについては、次のゾーンがない。しかし最終ゾーンの最終アドレスは、ユーザ領域の最終アドレスに等しいので、容易に計算できる。また、ユーザ領域の最終アドレスに１を加えたアドレスを物理スタートアドレスとするダミーのゾーン情報エントリを、ゾーン情報エントリリストの最終エントリとして常に設けるようにしてもよい。これにより、計算処理を統一できる。
【０１００】
ゾーン情報終端マークＺＩ＿Ｔｅｒｍは、ゾーン情報４５の終わりを示し、特定のビットパターンを記録する。具体的には、たとえばＦＦＦＦｈなど、通常のアドレスとしては出現しないパターンであればよい。
【０１０１】
（ページデータの記録処理）
つぎに、記録再生システムにおける、ページデータの記録処理の詳細について、以下に説明する。まず、記録密度を決めるパラメータである、記録ページ数Ｎ＿Ｐａｇｅおよびトラック間隔ＴＲＫ＿Ｉｎｔの決定方法について説明する。これら２つのパラメータの組み合わせとして、本実施形態では、２つの組み合わせのみが可能である。
【０１０２】
１つは、誤り訂正不能なエラーが再生時に発生することが許されないデータを記録する場合の記録密度である。このようなデータとして、プログラムファイルおよび文書データなどがある。この場合の記録ページ密度をＮ＿Ｐａｇｅ０とし、トラック間隔をＴＲＫ＿Ｉｎｔ０とする。これらは、特許請求の範囲における、第１の多重度情報に相当する。
【０１０３】
もう一つは、多少の誤り訂正不能エラーを許容できるデータを記録する場合の記録密度である。このようなデータとして、ビデオデータや音楽データなどがある。この場合の記録ページ数をＮ＿Ｐａｇｅ１とし、トラック間隔をＴＲＫ＿Ｉｎｔ１とする。これらは、特許請求の範囲における、第２の多重度情報に相当する。
【０１０４】
ここで、
・Ｎ＿Ｐａｇｅ０  ＜  Ｎ＿Ｐａｇｅ１
・ＴＲＫ＿Ｉｎｔ０  ＞  ＴＲＫ＿Ｉｎｔ１
が成立する。すなわち記録部１１は、ビデオデータおよび音楽データを、プログラムファイルおよび文書データよりも高密度に記録媒体１に記録する。なお、記録密度についての情報として、これら２つに限らず、３つ以上を組み合わせてもよい。
【０１０５】
たとえばホスト装置３が、ビデオデータを記録する指示を記録再生装置２に出力する。このとき記録部１１は、ビデオデータを、Ｎ＿Ｐａｇｅ１およびＴＲＫ＿Ｉｎｔ１に応じた記録密度で記録媒体１に記録する。
【０１０６】
（ページデータの再生処理）
ページデータの記録処理の詳細について、図６を参照して以下に説明する。図６は、記録再生システムにおける、ページデータの記録処理の流れを示すフローチャートである。
【０１０７】
この図に示すように、ホスト装置３は、記録媒体１のゾーン情報４５を、記録再生装置２に問い合わせる（ステップＳ６１）。これを受けて、記録再生装置２は、ゾーン情報４５をホスト装置に通知する（ステップＳ６２）。このとき記録再生装置２は、記録媒体１から読み出したゾーン情報エントリリストをもとに、ホスト装置３に通知するゾーン情報４５を作成する。
【０１０８】
ゾーン情報４５は、各ゾーンの物理スタートアドレスＳＴ＿ＡＤＲを論理アドレスに変換した論理スタートアドレス、各ゾーンの最終論理アドレスである論理エンドアドレス、および、各ゾーンの記録密度情報によって構成されている。
【０１０９】
上述したように、各ゾーンの最終物理アドレスは、次のゾーンの物理スタートアドレスの１ページ前として得られる。したがって再生部１２は、物理スタートアドレス、最終物理アドレス、および記録密度を用いて、論理エンドアドレスを計算する。
【０１１０】
たとえば、あるゾーンの物理スタートアドレスが１０１トラック・１ページであり、最終物理アドレスが５００トラック・１２０００ページだとする。また、トラック間隔が２であり、記録ページ数が１００だとする。このとき記録部１１は、このゾーンに記録可能なページ数を、（（５００−１００）／２）×１２，０００＝２，４００，０００ページと計算する。ここで、このゾーンの論理スタートアドレスを６００，００１とすると、論理エンドアドレスは６００，０００＋２，４００，０００＝３，０００，０００と計算できる。
【０１１１】
（パラメータＤｅｎｓｉｔｙ）
再生部１２は、記録密度情報として、記録ページ数Ｎ＿Ｐａｇｅおよびトラック間隔ＴＲＫ＿Ｉｎｔをそのまま用いてもよい。本実施形態では、記録密度として２つの場合に限定している。そこでこれらの値をコード化したパラメータである「Ｄｅｎｓｉｔｙ」を用いる。
【０１１２】
Ｄｅｎｓｉｔｙ＝０のとき、記録ページ数はＮ＿Ｐａｇｅ０であり、トラック間隔はＴＲＫ＿Ｉｎｔ０である。Ｄｅｎｓｉｔｙ＝１のとき、記録ページ数はＮ＿Ｐａｇｅ１であり、トラック間隔はＴＲＫ＿Ｉｎｔ１である。
【０１１３】
このようにしておけば、ホスト装置３は、記録ページおよびトラック間隔などの、個々のパラメータの意味を知らなくてもよい。すなわち、記録再生装置２から受け取ったゾーン情報４５の記録密度情報を調べることにより、Ｄｅｎｓｉｔｙ＝０のゾーンは、プログラムファイル等に適した、低い多重度によってデータを記録するための領域であることがわかる。さらに、Ｄｅｎｓｉｔｙ＝１のゾーンは、ビデオデータ等に適した、高い多重度によってデータを記録する領域であることがわかる。
【０１１４】
つぎに、ホスト装置３は、記録再生装置２から得たゾーン情報４５をもとに、ページデータを記録するゾーンを選択する（ステップＳ６３）。ここでは、いったんゾーンｉ（ｉは任意の整数）において、プログラムファイルを記録する。つぎに、プログラムファイルの後にビデオデータを追加記録する。
【０１１５】
（データの状態）
記録再生装置２に記録されるデータの状態について、図７（ａ）、図７（ｂ）、および図７（ｃ）を参照して以下に説明する。図７（ａ）は、記録媒体１において、プログラムファイルを記録した直後の状態を示す図である。図７（ｂ）は、記録領域７１の直後にゾーンｉ＋１を追加した状態を示す図である。図７（ｃ）は、記録領域７１から少し離れた位置にゾーンｉ＋１を追加した状態を示す図である。
【０１１６】
図７（ａ）の例では、記録部１１は、既存の記録領域７１に、プログラムファイルを記録している。ホスト装置３は、ゾーンｉにビデオデータを記録することを決定する。このときホスト装置３は、記録領域７１にプログラムファイルが記録されていることを認識している。したがって、同一のゾーンｉ内に、プログラムファイルとは記録密度が異なる、ビデオデータを記録できないことも認識している。そこでホスト装置３は、新たにゾーンｉ＋１を記録媒体１に追加するように、記録再生装置２に指示する（ステップＳ６４）。
【０１１７】
この指示を受けると、記録再生装置２は、記録媒体１にゾーンｉ＋１を追加する（ステップＳ６５）。具体的な追加処理の例として、２つある。第１の例として、図７（ｂ）に示すように、記録領域７１の直後に、ゾーン番号ｉ＋１として新たにゾーンを追加する。具体的には、記録領域７１の終わりを示す終端位置７２を起点にして、記録領域７３を追加する。したがってゾーン番号ｉのゾーン範囲は、記録領域７１のみとなる。
【０１１８】
第２の例として、図７（ｃ）に示すように、記録領域７１の直後でなく、少し離れた位置から、新たなゾーンを追加する。このとき記録部１１は、ホスト装置３から指定された位置からゾーンｉ＋１を追加する。具体的には、終端位置７２から一定距離だけ離れた開始位置７４を起点にして、記録領域７５を追加する。このときゾーンｉは、記録領域７１と、終端位置７２に始まり開始位置７４に終わる記録領域とを足し合わせたものとなる。一方、ゾーンｉ＋１は、記録領域７５のみとなる。
【０１１９】
いずれの場合も、ホスト装置３は、追加するゾーンの論理スタートアドレスを指定する。それを受けて、記録再生装置２は、追加するゾーンの物理スタートアドレスを決定する。ホスト装置３が指定可能な論理アドレスは、ゾーン追加前のゾーンｉを構成する記録領域７１の直後から、論理エンドアドレスまでの間の論理アドレスである。
【０１２０】
（ゾーン情報エントリの追加）
記録部１１は、記録媒体１に新たなゾーンを追加するとき、必要な情報をゾーン情報エントリに追加する。この処理について、図８（ａ）および図８（ｂ）を参照して以下に説明する。
【０１２１】
図８（ａ）は、ゾーン追加前におけるゾーン情報エントリリストの構成を示す図である。図８（ｂ）は、ゾーン追加後におけるゾーン情報エントリリストの構成を示す図である。
【０１２２】
図８（ａ）の例では、ゾーン番号ｉのエントリが記録されている。記録部１１は、図８（ｂ）に示すように、ゾーン番号ｉのゾーン情報エントリの直後に、ゾーン番号ｉ＋１のゾーン情報エントリを追加する。それ以外のゾーン情報エントリについては、何も変更しない。
【０１２３】
記録部１１は、ゾーン番号ｉ＋１のゾーン情報エントリに関して、スタートアドレスＳＴ＿ＡＤＲ（ｉ＋１）には、記録開始位置のアドレスを記録する。また、ここで記録部１１が実行するのは、ゾーンの追加処理のみである。すなわちページデータは記録しない。最終記録位置ＬＲＡ（ｉ＋１）に、ページデータの未記録を示す０を記録する。また、記録ページ数にＮ＿Ｐａｇｅ１を記録し、トラック間隔にＴＲＫ＿Ｉｎｔ１を記録する。これにより記録再生装置２は、ゾーンの追加処理を終了する。
【０１２４】
記録再生装置は、ゾーン追加処理を終了したあと、終了通知をホスト装置に送信する（ステップＳ６６）。
【０１２５】
つぎにホスト装置３は、ＮＷＡ（Ｎｅｘｔ  Ｗｒｉｔａｂｌｅ  Ａｄｄｒｅｓｓ）情報を記録再生装置２に問い合わせる（ステップＳ６７）。ＮＷＡは、記録可能な位置に関する情報である。
【０１２６】
ホスト装置３からの問い合わせに応じて、記録再生装置２は、ＮＷＡを計算する（ステップＳ６８）。本実施形態では、追加したゾーンｉ＋１の論理スタートアドレスを、ＮＷＡとして算出する。ゾーンｉ＋１の物理スタートアドレスＳＴ＿ＡＤＲ（ｉ＋１）は、ステップＳ６５において、ゾーン情報エントリに記録されている。すなわち既知である。
【０１２７】
ここでは、記録再生装置２は、物理スタートアドレスを論理スタートアドレスに変換する。本実施形態では、論理スタートアドレスを、最大記録ページ数Ｎ＿ＰａｇｅＭａｘおよび最小トラック間隔ＴＲＫ＿ＩｎｔＭｉｎを用いて計算する。両パラメータは、使用する記録媒体１において記録可能な最大密度に相当するパラメータである。これら２つのパラメータは、記録媒体１のディスク情報管理領域４１にあらかじめ記録されている。
【０１２８】
（物理アドレスと論理アドレスとの関係）
各ゾーンにおける、物理アドレスと論理アドレスとの関係の一例を、図９を参照して以下に説明する。図９は、各ゾーンにおける、物理アドレスと論理アドレスとの関係の一例を示す図である。
【０１２９】
この図に示すように、ゾーン１からゾーン４までの４つのゾーンが存在する。記録済みの領域を、それぞれのゾーン中において太線として示す。太線９１に示すように、ゾーン１内のすべての領域が記録済みである。太線９２に示すように、ゾーン２内では、一部の領域のみが記録済みである。太線９３に示すように、ゾーン３内では、一部の領域のみが記録済みである。太線９４に示すように、ゾーン４内のすべての領域が記録済みである。
【０１３０】
各ゾーンにおいて点線として示す箇所は、最大密度に相当するパラメータから計算できる最大密度直線である。たとえば、Ｎ＿ＰａｇｅＭａｘ＝１００、ＴＲＫ＿ＩｎｔＭｉｎ＝１のとき、記録部１１は、１トラック当たり１２，０００ページ分のデータを記録する。これにより最大密度直線は、物理アドレス１トラックにつき、論理アドレスが１２，０００ページ増加する傾きを持つ。
【０１３１】
図９の例では、ゾーン１およびゾーン３の記録密度は、いずれも最大である。一方、ゾーン２およびゾーン４では、記録密度が最大密度よりも低い。
【０１３２】
各ゾーンの論理スタートアドレスは、いずれも、最大密度直線上に配置されている。したがって、Ｎ＿ＰａｇｅＭａｘおよびＴＲＫ＿ＩｎｔＭｉｎが既知なら、記録部１１は、物理スタートアドレスから容易に論理スタートアドレスを計算できる。
【０１３３】
（論理アドレスの重複防止）
論理スタートアドレスを最大密度直線上に配置すれば、さらに、論理アドレスの重複も防止できる。この例について、図１０を参照して以下に説明する。図１０は、各ゾーンにおける、物理アドレスと論理アドレスとの関係の一例を示す図である。
【０１３４】
図１０の例では、ゾーンｎの論理スタートアドレスは、直線１００に示すように、点線で示す最大密度直線上にある。一方、ゾーンｎ＋１の論理スタートアドレスは、直線１０１に示すように、最大密度直線よりも下方に位置している。これにより記録部１１は、ゾーンｎに対する記録をさらに行う。物理アドレスＡの位置までページデータを記録し終えると、物理アドレスＡに対応する論理アドレスはＰ＿ＡＤＲとなる。
【０１３５】
ところが、図１０に示すように、Ｐ＿ＡＤＲに対応する物理アドレスは、ゾーンｎ＋１の物理アドレスＢにも存在している。これにより論理アドレスが重複してしまう。ここでホスト装置３が記録再生装置２に、Ｐ＿ＡＤＲに対応するページデータの再生を指示したとする。このとき再生対象のページデータに対応する物理アドレスが重複しているため、記録再生装置３は、どちらの物理アドレスに基づきページデータを再生してよいのかを判別できない。
【０１３６】
（トラック間隔が２以上の場合）
この問題は、ゾーンｎ＋１の論理スタートアドレスを最大密度直線上に配置すれば発生しない。この例について、図１１を参照して以下に説明する。図１１は、トラック間隔が２以上の場合における、物理アドレスと論理アドレスの関係の一例を示す図である。
【０１３７】
この図に示すように、トラック間隔が２以上の場合、ページデータを記録しないトラックが存在する。ゾーン２とゾーン４では、トラック間隔が２以上となっている。図中の太線によって示す、記録済み領域が途切れている箇所は、ページデータが記録されていないトラックを示している。たとえばゾーン２において、直線１１２ａと直線１１２ｂとの間に相当するトラック、および、直線１１２ｂと直線１１２ｃとの間に相当するトラックには、いずれも、ページデータが記録されていない。さらに、ゾーン４において、直線１１４ａと直線１１４ｂとの間に相当するトラック、および、直線１１４ｂと直線１１４ｃとの間に相当するトラックには、いずれも、ページデータが記録されていない
この場合も記録部１１は、各ゾーンの論理スタートアドレスを、すべて最大密度直線上に配置する。これにより物理スタートアドレスから論理スタートアドレスを容易に算出できる。また、ゾーン２やゾーン４に含まれる、スタートアドレス以外の論理アドレスについても、各ゾーンにおけるトラック間隔は既知である。したがって、対応する物理アドレスを容易に計算できる。
【０１３８】
論理スタートアドレスを最大密度直線上に配置したときは、論理アドレスが不連続となる。たとえば図９に示すゾーン２の論理エンドアドレスと、ゾーン３の論理スタートアドレスとは、連続していない。すなわち直線９２の終端と、直線９３の始端とが繋がっていない。
【０１３９】
（論理スタートアドレスの問い合わせ）
このため、記録再生装置２が記録媒体１にゾーンを追加したあと、ホスト装置３は、追加されたゾーンの論理スタートアドレスを、記録再生装置２に必ず問い合わせる必要がある。そこでホスト装置３は、ステップＳ６８において、記録再生装置２がステップＳ６５において記録媒体１に追加したゾーンｉ＋１の論理スタートアドレスを、問い合わせる。これにより記録再生装置２は、問い合わせのあった論理スタートアドレスについて計算したＮＷＡを、ホスト装置に通知する（ステップＳ６９）。
【０１４０】
ホスト装置３は、受け取ったＮＷＡに基づき、ページデータを記録するように、記録再生装置１に指示する（ステップＳ７０）。このときホスト装置３は、ビデオデータの記録を指示する。これに応じて、記録再生装置１は、指示されたビデオデータを記録媒体１に記録する（ステップＳ７１）。ビデオデータを記録し終えると、記録再生装置１は、ホスト装置３に終了通知を送信する（ステップＳ７２）。
【０１４１】
（記録処理）
ページデータの記録処理について、図１２を参照して以下に説明する。図１２は、記録再生装置１におけるページデータの記録処理の流れを示すフローチャートである。
【０１４２】
まず記録部１１は、記録対象となるゾーンの記録ページ数Ｎ＿Ｐａｇｅおよびトラック間隔ＴＲＫ＿Ｉｎｔを取得する（ステップＳ１２１）。つぎに、記録ページ数およびトラック間隔によって記録できるように、パラメータを設定する（ステップＳ１２２）。これにより、設定したパラメータを用いて、ページデータを記録媒体１に記録する（ステップＳ１２３）。
【０１４３】
（タイミング信号）
ページデータの記録時におけるタイミング信号について、図１３（ａ）および図１３（ｂ）を参照して以下に説明する。図１３（ａ）は、記録ページ数Ｎ＿Ｐａｇｅ＝１００の場合における、タイミング信号を示す図である。図１３（ｂ）は、Ｎ＿Ｐａｇｅ＝９０の場合における、タイミング信号の例を示す図である。
【０１４４】
図１３（ａ）において、トラック開始位置信号ＴＲは、トラックの先頭位置を示す信号である。アドレス検出部１４は、クラスタ番号１２０を検出した後、次のクラスタの先頭において、トラック開始位置信号ＴＲを出力する。
【０１４５】
クラスタ信号ＣＬは、アドレス検出部１４がアドレス信号中に含まれるクラスタマークを検出するごとに出力する信号である。クロック信号ＣＫは、ページ位置を示す信号である。クラスタ信号ＣＬから、クロック生成部１５に含まれるＰＬＬ回路が生成する。
【０１４６】
図１３（ａ）に示す例では、１クラスタは１００ページからなっている。そこで、クロック生成部１５は、１クラスタ周期を１００分割するように、クロック信号ＣＫを生成する。この処理を、クロック生成部１５に含まれるＰＬＬ回路１４０が実行する。
【０１４７】
（ＰＬＬ部１４０）
図１４は、ＰＬＬ回路１４０の構成を示すブロック図である。この図に示すように、ＰＬＬ回路１４０は、位相比較部１４１、補償部１４２、ＶＣＯ１４３、および分周器１４４を備えている。
【０１４８】
クラスタ信号ＣＬは、位相比較部１４１に入力される。位相比較部１４１は、クラスタ信号ＣＬと、分周器１４４の出力との位相差を検出する。検出した位相差を、補償部１４２に出力する。補償部１４２は、ＰＬＬ回路１４０の応答特性や安定性が所望の特性となるように、入力信号を補償する。補償部１４２は、補償した入力信号をＶＣＯ１４３に出力する。
【０１４９】
ＶＣＯ１４３は、加えられた電圧に比例した周波数のクロック信号ＣＫを分周器１４４に出力する。分周器１４４は、分周した信号を位相比較部１４１に出力する。分周器１４４の分周比を変えることにより、クロック信号ＣＫの周波数を変更できる。したがってコントローラ１６は、記録ページ数に応じた分周比を分周器１４４に設定すれよい。これにより、必要な記録ページデータ数を容易に取得できる。
【０１５０】
記録部１１は、得られたクロック信号ＣＫを基に記録レーザパルス信号を生成する。これにより、情報を記録する。このとき、半径方向の記録密度に関しては、トラック間隔ＴＲＫ＿Ｉｎｔに応じて、記録するトラックの間隔を空けて記録する。
【０１５１】
（ページデータの再生）
つぎに、記録媒体１からのデータ再生処理について、図１５を参照して以下に説明する。図１５は、記録媒体１に記憶されているページデータを再生するときにおける処理の流れを示すフローチャートである。
【０１５２】
この図に示すように、再生部１２は、記録対象となるゾーンの記録ページ数Ｎ＿Ｐａｇｅおよびトラック間隔ＴＲＫ＿Ｉｎｔを取得する（ステップＳ１５１）。つぎに、記録ページ数、トラック間隔によって情報を再生できるように、パラメータを設定する（ステップＳ１５２）。つぎに、設定したパラメータを用いることによって、ページデータを記録媒体１から再生する（ステップＳ１５３）。
【０１５３】
本実施形態の記録再生装置２では、ページデータを記録媒体１に記録するときと同様に、コントローラ１６が、所定の分周比を分周器１４４に設定する。これにより再生部１２は、所定の記録ページ数でページデータを再生する。また、トラック間隔ＴＲＫ＿Ｉｎｔの間隔で、ページデータを再生する。
【０１５４】
（その他の構成）
なお、本発明を、以下の構成としても実現できる。
【０１５５】
（第１構成）
２次元情報を所定の多重度で記録する情報記憶媒体であって、前記多重度に関する情報を記録するための管理情報領域を有することを特徴とする情報記憶媒体。
【０１５６】
（第２構成）
記録領域を複数に分割し、前記複数の記録領域の多重度情報を個別に記録可能な前記管理情報領域を有することを特徴とする前記第２構成に係る情報記憶媒体。
【０１５７】
（第３構成）
２次元情報を所定の多重度で記録する情報記録方法であって、多重度情報を記録するための管理情報領域を有する情報記憶媒体から多重度情報を得る第１のステップと、得られた前記多重度情報に一致した多重度で記録を行うため、多重度に関連するパラメータを設定する第２のステップと設定したパラメータで記録を行う第３のステップを有することを特徴とする情報記録方法。
【０１５８】
（第４構成）
２次元情報を所定の多重度で記録する情報記録方法であって、多重度情報を記録するための管理情報領域を有する情報記憶媒体から、記録対象とする記録領域の多重度である第１の多重度を得る第１のステップと、前記第１の多重度と、記録対象とする情報の記録に用いる第２の多重度とが異なる時に、新規記録領域を作成する第２のステップと、前記新規記録領域に前記第２の多重度で２次元情報を記録する第３のステップを有することを特徴とする情報記録方法。
【０１５９】
（第５構成）
前記管理情報から記録開始可能位置情報を作成するステップを含むことを特徴とする前記第４構成に係る情報記録方法。
【０１６０】
（第６構成）
２次元情報を所定の多重度で記録された情報記憶媒体の情報再生方法であって、多重度情報を記録するための管理情報領域を有する情報記憶媒体から多重度情報を得る第１のステップと、得られた前記多重度情報に一致した多重度で再生を行うため、多重度に関連するパラメータを設定する第２のステップとを有することを特徴とする情報再生方法。
【０１６１】
（まとめ）
以上のように、本実施形態の記録再生装置２において、記録部１１は、ページデータの多重度を表す各種の情報を、当該ページデータを記録するための記憶媒体１に記録する。これにより記録部１１は、再生時に、記録媒体１に記憶されている、多重度に関する情報を用いて、ページデータを再生する。これにより、記憶されているページデータの多重度がどのような値であっても、記録媒体１からページデータを適切に再生できる。
【０１６２】
また、記録部１１は、記憶媒体１を複数の領域に分割し、多重度に関する情報を、記憶媒体１において、領域ごとに記録する。これにより、再生対象の領域から、対応する多重度情報を用いてページデータを適切に再生する。
【０１６３】
本実施形態では、記録再生装置２は、性質の２種類のページデータ、すなわちビデオデータおよびプログラムデータを、同一の記録媒体１に互いに多重度を異ならせて記録し、そして再生する。しかし、記録再生装置２は記録媒体１に記録するページデータの種類は、３種類以上でもよい。この場合、記録ページ数Ｎ＿Ｐａｇｅとトラック間隔ＴＲＫ＿Ｉｎｔとの組み合わせを、３種類以上とすればよい。また、それらの組み合わせをコード化したパラメータであるＤｅｎｓｉｔｙも、３種類以上とすればよい。
【０１６４】
また、記録再生装置２は、記録媒体１に記録するページデータの多重度を、記録媒体１において１つに統一してもよい。すなわち、記録媒体１のすべての領域において、同じ多重度のページデータを記録してもよい。
【０１６５】
この場合、記録部１１は、ディスク管理情報領域４１にゾーン情報４５を記録する必要はない。したがって、多重化情報をディスク情報４１に記録すればよい。または、記録媒体１のバージョン番号から、多重化情報を間接的に取得してもよい。この場合、記憶媒体１のバージョン番号ごとに、多重化情報があらかじめ定められていればよい。
【０１６６】
また、本実施形態では、ユーザデータ領域４３内において、記録するページデータの多重度を異ならせている。これに限らず、記録再生装置２は、ユーザデータ領域４３に記録するページデータの多重度と、ディスク管理情報領域４１に記録する情報の多重度とを、互いに異ならせてもよい。
【０１６７】
この場合、記録再生装置２は、ディスク管理情報領域４１から情報を再生する前に、当該領域における当該記録情報の多重度を知る必要がある。そこで、規格書等において、ディスク管理情報領域４１に記録する情報の多重度を規定しておけばよい。これにより記録再生装置２は、記憶媒体１を再生することなしに、多重度に関するパラメータを設定できる。ただし、ユーザデータ領域４３に記録する情報の多重度に関するパラメータについては、ディスク管理情報領域４１に記録する。
【０１６８】
また、ディスク管理情報領域４１の多重度がユーザデータ領域４３の多重度と異なる場合、ホスト装置３は、多重度に関するパラメータを指定する必要はない。すなわち、記録再生装置２自身が、ページデータを記録する領域に応じた多重度を設定し、ページデータを記録すればよい。ページデータの再生についても同様である。
【０１６９】
（プログラムおよび記録媒体）
最後に、記録再生装置２に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１７０】
すなわち記録再生装置２は、各機能を実現するプログラムの命令を実行するＣＰＵ、この再生プログラムを格納したＲＯＭ（Ｒｅａｄ  Ｏｎｌｙ  Ｍｅｍｏｒｙ）、上記再生プログラムを実行可能な形式に展開するＲＡＭ（Ｒａｎｄｏｍ  Ａｃｃｅｓｓ  Ｍｅｍｏｒｙ）、および、上記再生プログラムおよび各種データを格納するメモリ等の記憶装置（記録媒体）を備えている。この構成により、本発明の目的は、所定の記録媒体によっても、達成できる。
【０１７１】
この記録媒体は、上述した機能を実現するソフトウェアである記録再生装置２のプログラムのプログラムコード（実行形式プログラム、中間コードプログラム、ソースプログラム）をコンピュータで読み取り可能に記録していればよい。記録再生装置２に、この記録媒体を供給する。これにより、コンピュータとしての記録再生装置２（またはＣＰＵやＭＰＵ）が、供給された記録媒体に記録されているプログラムコードを読み出し、実行すればよい。
【０１７２】
プログラムコードを記録再生装置２に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１７３】
また、記録再生装置２を通信ネットワークと接続可能に構成しても、本発明の目的を達成できる。この場合、上記のプログラムコードを、通信ネットワークを介して記録再生装置２に供給する。この通信ネットワークは記録再生装置２にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１７４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１７５】
本発明は、２次元のページデータを多重記録するホログラム記録媒体として利用できる。また、このような記録媒体に、２次元のページデータを適切な多重度によって記録したり再生したりする記録再生装置として利用できる。
【図面の簡単な説明】
【０１７６】
【図１】本発明の一実施形態に係る記録再生システムの要部構成を示すブロック図である。
【図２】（ａ）は、記録媒体の断面を示す断面図であり、（ｂ）は、記録媒体を記録面側から見た俯瞰図である。
【図３】（ａ）は、アドレス情報の構成を示す図であり、（ｂ）は、記録再生層に記録されているページデータの構成を示す図である。
【図４】記録媒体に形成されている、各種情報を格納するための領域の配置を示す図である。
【図５】（ａ）は、ゾーン情報を構成する各種情報を示す図であり、（ｂ）は、ゾーン情報ヘッダを構成する各種情報を表す図であり、（ｃ）は、ゾーン情報エントリを構成する各種の情報を表す図である。
【図６】記録再生システムにおける、ページデータの記録処理の流れを示すフローチャートである。
【図７】（ａ）は、記録媒体において、プログラムファイルを記録した直後の状態を示す図であり、（ｂ）は、記録領域の直後にゾーンｉ＋を追加した状態を示す図であり、（ｃ）は、記録領域から少し離れた位置にゾーンｉ＋１を追加した状態を示す図である。
【図８】（ａ）は、ゾーン追加前におけるゾーン情報エントリリストの構成を示す図であり、（ｂ）は、ゾーン追加後におけるゾーン情報エントリリストの構成を示す図である。
【図９】各ゾーンにおける、物理アドレスと論理アドレスとの関係の一例を示す図である。
【図１０】各ゾーンにおける、物理アドレスと論理アドレスとの関係の一例を示す図である。
【図１１】トラック間隔が以上の場合における、物理アドレスと論理アドレスの関係の一例を示す図である。
【図１２】記録再生装置におけるページデータの記録処理の流れを示すフローチャートである。
【図１３】（ａ）は、記録ページ数Ｎ＿Ｐａｇｅ＝１００の場合における、タイミング信号を示す図であり、１３（ｂ）は、Ｎ＿Ｐａｇｅ＝９０の場合における、タイミング信号の例を示す図である。
【図１４】ＰＬＬ回路の構成を示すブロック図である。
【図１５】記録媒体に記憶されているページデータを再生するときにおける処理の流れを示すフローチャートである。
【図１６】従来の記録再生装置によって情報が記録された記録媒体を示す模式図である。
【符号の説明】
【０１７７】
１  記録再生装置
２  記録媒体
３  ホスト装置
１０  ピックアップ
１１  記録部（記録手段、多重度情報取得手段、判定手段、位置特定手段）
１２  再生部（再生手段、多重度情報取得手段）
１３  インタフェース部
１４  アドレス検出部
１６  コントローラ
４１  ディスク管理情報領域（管理領域）
【図１】
2007305230.tif 000003
【図２】
2007305230.tif 000004
【図３】
2007305230.tif 000005
【図４】
2007305230.tif 000006
【図５】
2007305230.tif 000007
【図６】
2007305230.tif 000008
【図７】
2007305230.tif 000009
【図８】
2007305230.tif 000010
【図９】
2007305230.tif 000011
【図１０】
2007305230.tif 000012
【図１１】
2007305230.tif 000013
【図１２】
2007305230.tif 000014
【図１３】
2007305230.tif 000015
【図１４】
2007305230.tif 000016
【図１５】
2007305230.tif 000017
【図１６】
2007305230.tif 000018